(57)【特許請求の範囲】
【請求項１】
端末が、ユーザーの共有待機中のパーティー写真グループに対するパーティー写真共有命令を受信するステップと、
前記端末が、前記共有待機中のパーティー写真グループに含まれるそれぞれのパーティー写真に対して顔識別を行った後に得られる顔識別結果を取得し、前記顔識別結果によって、前記共有待機中のパーティー写真グループに含まれる顔画像セットを確定するステップと、
前記端末が、アドレス帳に含まれる各連絡先のプロフィール写真において、前記顔画像セット中の各顔画像にそれぞれマッチングされる目標連絡先のプロフィール写真を確定するステップと、
前記端末が、各目標連絡先のプロフィール写真に対応する連絡方式によって、前記共有待機中のパーティー写真グループを対応する目標連絡先にそれぞれ送信するステップと、を含み、
前記共有待機中のパーティー写真グループはパーティー識別子情報を含み、前記共有待機中のパーティー写真グループは少なくとも１枚のパーティー写真を含み、
前記端末が、前記顔識別結果によって、前記共有待機中のパーティー写真グループに含まれる顔画像セットを確定した後、
前記端末が、前記顔識別結果によって、前記顔画像セット中の各顔画像が現れる回数を確定するステップと、
前記端末が、前記顔画像セットに前記現れる回数がプリセット回数よりも少ない顔画像が存在するかを確定するステップと、
前記端末が、前記現れる回数がプリセット回数よりも少ない顔画像が存在すると、前記顔画像セットから前記現れる回数がプリセット回数よりも少ない顔画像を削除するステップと、をさらに含むことを特徴とする写真共有方法。
【請求項２】
前記端末が、前記各目標連絡先のプロフィール写真に対応する連絡方式によって、前記共有待機中のパーティー写真グループを対応する目標連絡先にそれぞれ送信する前に、
前記端末が、ユーザーが入力した選択命令を受信するステップをさらに含み、前記選択命令は、ユーザーが前記各目標連絡先に対して選択した後、選択された各目標連絡先を含み、
前記端末が、前記各目標連絡先のプロフィール写真に対応する連絡方式によって、前記共有待機中のパーティー写真グループを対応する目標連絡先にそれぞれ送信するステップは、
前記端末が、選択された各目標連絡先に対応する連絡方式によって、前記共有待機中のパーティー写真グループを対応する目標連絡先にそれぞれ送信するステップを含むことを特徴とする請求項１に記載の写真共有方法。
【請求項３】
前記端末が、前記各目標連絡先のプロフィール写真に対応する連絡方式によって、前記共有待機中のパーティー写真グループを対応する目標連絡先にそれぞれ送信する前に、
前記端末が、前記顔識別結果によって、前記顔画像セット中の各顔画像に対応するパーティー写真サブセットを確定するステップと、
前記端末が、各顔画像にそれぞれマッチングされる目標連絡先のプロフィール写真によって、各連絡先のプロフィール写真にそれぞれ対応するパーティー写真サブセットを確定するステップと、をさらに含み、
前記端末が、前記各目標連絡先のプロフィール写真に対応する連絡方式によって、前記共有待機中のパーティー写真グループを対応する目標連絡先にそれぞれ送信するステップは、
前記端末が、各目標連絡先のプロフィール写真に対応する連絡方式によって、前記各目標連絡先のプロフィール写真にそれぞれ対応するパーティー写真サブセットを対応する目標連絡先に送信するステップを含むことを特徴とする請求項１に記載の写真共有方法。
【請求項４】
前記端末が、前記各目標連絡先のプロフィール写真に対応する連絡方式によって、前記各目標連絡先のプロフィール写真にそれぞれ対応するパーティー写真サブセットを対応する目標連絡先に送信するステップは、
前記端末が、各目標連絡先のプロフィール写真に対応する連絡方式における、プリセット通信方式に対応する第１の目標連絡方式を取得するステップと、
前記端末が、前記第１の目標連絡方式によって、前記各目標連絡先のプロフィール写真にそれぞれ対応するパーティー写真サブセットを対応する目標連絡先に送信するステップと、を含むことを特徴とする請求項３に記載の写真共有方法。
【請求項５】
前記端末が、前記各目標連絡先のプロフィール写真に対応する連絡方式における、プリセット通信方式に対応する第１の目標連絡方式を取得した後、
前記端末が、前記第１の目標連絡方式を有しない特定の目標連絡先のプロフィール写真について、前記特定の目標連絡先のプロフィール写真に対応する連絡方式において第２の目標連絡方式を確定し、前記第２の目標連絡方式によって前記特定された目標連絡先のプロフィール写真に対応するパーティー写真サブセットを対応する特定の目標連絡先に送信するステップをさらに含むことを特徴とする請求項４に記載の写真共有方法。
【請求項６】
前記連絡方式は、少なくとも２つであり、
前記端末が、前記各目標連絡先のプロフィール写真に対応する連絡方式によって、前記各目標連絡先のプロフィール写真にそれぞれ対応するパーティー写真サブセットを対応する目標連絡先に送信するステップは、
前記端末が、プリセット連絡方式の優先順位に応じて、各目標連絡先のプロフィール写真に対応する少なくとも２つの連絡方式において、各目標連絡先のプロフィール写真に対応する最高優先順位連絡方式を確定するステップと、
前記端末が、各目標連絡先のプロフィール写真に対応する最高優先順位連絡方式によって、前記各目標連絡先のプロフィール写真にそれぞれ対応するパーティー写真サブセットを対応する目標連絡先に送信するステップを含むことを特徴とする請求項３に記載の写真共有方法。
【請求項７】
前記端末が、前記共有待機中のパーティー写真グループに含まれるそれぞれのパーティー写真に対して顔識別を行った後に得られる顔識別結果は、
前記端末が、顔識別技術を介して前記共有待機中のパーティー写真グループに含まれるそれぞれのパーティー写真に対して顔識別を行って得られる前記顔識別結果、
又は、
前記端末が、クラウドサーバーに前記パーティー識別子情報及びユーザーＩＤを含む処理要求を送信し、前記クラウドサーバーが前記ユーザーＩＤに対応するクラウド写真アルバムから前記パーティー識別子情報に対応する前記共有待機中のパーティー写真グループを取得するようにし、顔識別技術を介して前記共有待機中のパーティー写真グループに含まれるそれぞれのパーティー写真に対して顔識別を行って得られる前記顔識別結果と、
前記クラウドサーバーが送信する前記顔識別結果と、を含むことを特徴とする請求項１から請求項６のいずれか１項に記載の写真共有方法。
【請求項８】
ユーザーの共有待機中のパーティー写真グループに対するパーティー写真共有命令を受信するように構成される第１の受信モジュールと、
前記共有待機中のパーティー写真グループに含まれるそれぞれのパーティー写真に対して顔識別を行った後に得られる顔識別結果を取得するように構成される第１の取得モジュールと、
前記顔識別結果によって、前記共有待機中のパーティー写真グループに含まれる顔画像セットを確定するように構成される第１の確定モジュールと、
アドレス帳に含まれる各連絡先のプロフィール写真において、前記顔画像セット中の各顔画像にそれぞれマッチングされる目標連絡先のプロフィール写真を確定するように構成される第２の確定モジュールと、
各目標連絡先のプロフィール写真に対応する連絡方式によって、前記共有待機中のパーティー写真グループを対応する目標連絡先にそれぞれ送信するように構成される送信モジュールと、を備え、
前記共有待機中のパーティー写真グループはパーティー識別子情報を含み、前記共有待機中のパーティー写真グループは少なくとも１枚のパーティー写真を含み、
前記顔識別結果によって、前記顔画像セット中の各顔画像が現れる回数を確定するように構成される第３の確定モジュールと、
前記顔画像セットに前記現れる回数がプリセット回数よりも少ない顔画像が存在するかを確定するように構成される第４の確定モジュールと、
前記第４の確定モジュールで確定された前記顔画像セットに前記現れる回数がプリセット回数よりも少ない顔画像が存在すると、前記顔画像セットから前記現れる回数がプリセット回数よりも少ない顔画像を削除するように構成される削除モジュールと、をさらに備えることを特徴とする写真共有装置。
【請求項９】
ユーザーが入力した選択命令を受信するように構成される第２の受信モジュールをさらに備え、前記選択命令は、ユーザーが前記各目標連絡先に対して選択した後、選択された各目標連絡先を含み、
前記送信モジュールは、
選択された各目標連絡先に対応する連絡方式によって、前記共有待機中のパーティー写真グループを対応する目標連絡先にそれぞれ送信するように構成される第１の送信サブモジュールを備えることを特徴とする請求項８に記載の写真共有装置。
【請求項１０】
前記顔識別結果によって、前記顔画像セット中の各顔画像に対応するパーティー写真サブセットを確定するように構成される第５の確定モジュールと、
各顔画像にそれぞれマッチングされる目標連絡先のプロフィール写真によって、各連絡先のプロフィール写真にそれぞれ対応するパーティー写真サブセットを確定するように構成される第６の確定モジュールと、をさらに備え、
前記送信モジュールは、
各目標連絡先のプロフィール写真に対応する連絡方式によって、前記各目標連絡先のプロフィール写真にそれぞれ対応するパーティー写真サブセットを対応する目標連絡先に送信するように構成される第２の送信サブモジュールを備えることを特徴とする請求項８に記載の写真共有装置。
【請求項１１】
各目標連絡先のプロフィール写真に対応する連絡方式における、プリセット通信方式に対応する第１の目標連絡方式を取得するように構成される第２の取得モジュールをさらに備え、
前記送信モジュールは、
前記第１の目標連絡方式によって、前記各目標連絡先のプロフィール写真にそれぞれ対応するパーティー写真サブセットを対応する目標連絡先に送信するように構成される第３の送信サブモジュールを備えることを特徴とする請求項１０に記載の写真共有装置。
【請求項１２】
前記第１の目標連絡方式を有しない特定の目標連絡先のプロフィール写真について、前記特定の目標連絡先のプロフィール写真に対応する連絡方式において第２の目標連絡方式を確定するように構成される第７の確定モジュールをさらに備え、
前記送信モジュールは、
前記第２の目標連絡方式によって、前記特定された目標連絡先のプロフィール写真に対応するパーティー写真サブセットを、対応する特定の目標連絡先に送信するように構成される第４の送信サブモジュールを備えることを特徴とする請求項１１に記載の写真共有装置。
【請求項１３】
前記連絡方式は、少なくとも２つであり、
前記写真共有装置は、
プリセット連絡方式の優先順位に応じて、各目標連絡先のプロフィール写真に対応する少なくとも２つの連絡方式において、各目標連絡先のプロフィール写真に対応する最高優先順位連絡方式を確定するように構成される第８の確定モジュールを備え、
前記送信モジュールは、
各目標連絡先のプロフィール写真に対応する最高優先順位連絡方式を介して、前記各目標連絡先のプロフィール写真に対応するパーティー写真サブセットを、対応する目標連絡先にそれぞれ送信するように構成される第５の送信サブモジュールを備えることを特徴とする請求項１０に記載の写真共有装置。
【請求項１４】
前記第１の取得モジュールは、
顔識別技術を介して前記共有待機中のパーティー写真グループに含まれるそれぞれのパーティー写真に対して顔識別を行って前記顔識別結果を得るように構成される識別サブモジュールを備え、
又は、前記第１の取得モジュールは、
クラウドサーバーに前記パーティー識別子情報及びユーザーＩＤを含む処理要求を送信し、前記クラウドサーバーが前記ユーザーＩＤに対応するクラウド写真アルバムから前記パーティー識別子情報に対応する前記共有待機中のパーティー写真グループを取得するようにし、顔識別技術を介して前記共有待機中のパーティー写真グループに含まれるそれぞれのパーティー写真に対して顔識別を行って前記顔識別結果を得るように構成される第６の送信サブモジュールと、
前記クラウドサーバーが送信する前記顔識別結果を受信するように構成される受信サブモジュールと、を備えることを特徴とする請求項８から請求項１３のいずれか１項に記載の写真共有装置。
【請求項１５】
プロセッサーと、
前記プロセッサーによって実行可能な命令を記憶するメモリと、を備え、
前記プロセッサーは、
ユーザーの共有待機中のパーティー写真グループに対するパーティー写真共有命令を受信し、前記共有待機中のパーティー写真グループはパーティー識別子情報を含み、前記共有待機中のパーティー写真グループは少なくとも１枚のパーティー写真を含み、
前記共有待機中のパーティー写真グループに含まれるそれぞれのパーティー写真に対して顔識別を行った後に得られる顔識別結果を取得し、前記顔識別結果によって、前記共有待機中のパーティー写真グループに含まれる顔画像セットを確定し、
アドレス帳に含まれる各連絡先のプロフィール写真において、前記顔画像セット中の各顔画像にそれぞれマッチングされる目標連絡先のプロフィール写真を確定し、
各目標連絡先のプロフィール写真に対応する連絡方式によって、前記共有待機中のパーティー写真グループを対応する目標連絡先にそれぞれ送信するように構成され、
前記各目標連絡先のプロフィール写真に対応する連絡方式によって、前記共有待機中のパーティー写真グループを対応する目標連絡先にそれぞれ送信する前に、
ユーザーが入力した選択命令を受信することをさらに含み、前記選択命令は、ユーザーが前記各目標連絡先に対して選択した後、選択された各目標連絡先を含み、
前記各目標連絡先のプロフィール写真に対応する連絡方式によって、前記共有待機中のパーティー写真グループを対応する目標連絡先にそれぞれ送信することは、
選択された各目標連絡先に対応する連絡方式によって、前記共有待機中のパーティー写真グループを対応する目標連絡先にそれぞれ送信することを含むことを特徴とする写真共有装置。
【請求項１６】
プロセッサーに実行されることにより、請求項１〜７のいずれか１項に記載の写真共有方法を実現する、プログラム。
【請求項１７】
請求項１６に記載のプログラムが記録されたコンピュータ読取可能な記録媒体。
【発明の詳細な説明】
【相互参照】
【０００１】
本願は、出願番号がＣＮ ２０１５１０４６２７８１.０であって、出願日が２０１５年０７月３１日である中国特許出願に基づき優先権を主張し、当該中国特許出願の内容の全てを本願に援用する。
【技術分野】
【０００２】
本発明は、通信技術分野に関し、さらに詳細には、写真共有方法、装置、プログラム及び記録媒体に関する。
【背景技術】
【０００３】
スマート端末は、人々の生活において欠かせない電子機器となっている。外でパーティーするときや、観光するときに、スマート携帯電話などの端末を使用して写真を撮ることができるので、スマート端末が主要な撮影機器となっている。
【０００４】
友達と一緒にパーティーするとき、参加した人々が写真を撮る可能性があり、また、友達の間で自分が撮った写真を共有するために、現在、互いに人為的に送信する方法を採用して実現している。例えば、甲、乙、丙、丁の四人がパーティするとき、それぞれがパーティ写真を撮った場合、甲は、ウィーチャットや、メッセージなどの通信方式を介して、自分が撮った写真を乙、丙、丁にそれぞれ送信し、同様に、乙も自分が撮った写真を甲、丙、丁にそれぞれ送信し、丙及び丁も同様に自分が撮った写真を送信して共有する。
【発明の概要】
【発明が解決しようとする課題】
【０００５】
本発明は、人為的な共有方式によるパーティー写真を共有する処理効率が低いという問題点を解決するために、写真共有方法、装置、プログラム及び記録媒体を提供する。
【課題を解決するための手段】
【０００６】
本発明の第１の態様によれば、写真共有方法が提供され、前記方法は、
ユーザーの共有待機中のパーティー写真グループに対するパーティー写真共有命令を受信するステップと、
前記共有待機中のパーティー写真グループに含まれるそれぞれのパーティー写真に対して顔識別を行った後に得られる顔識別結果を取得し、前記顔識別結果によって、前記共有待機中のパーティー写真グループに含まれる顔画像セットを確定するステップと、
アドレス帳に含まれる各連絡先のプロフィール写真において、前記顔画像セット中の各顔画像にそれぞれマッチングされる目標連絡先のプロフィール写真を確定するステップと、
各目標連絡先のプロフィール写真に対応する連絡方式によって、前記共有待機中のパーティー写真グループを対応する目標連絡先にそれぞれ送信するステップと、を含み、
前記共有待機中のパーティー写真グループはパーティー識別子情報を含み、前記共有待機中のパーティー写真グループは少なくとも１枚のパーティー写真を含む。
【０００７】
ここで、前記共有待機中のパーティー写真グループに含まれるそれぞれのパーティー写真に対して顔識別を行った後に得られる顔識別結果は、
顔識別技術を介して前記共有待機中のパーティー写真グループに含まれるそれぞれのパーティー写真に対して顔識別を行って得られる前記顔識別結果、
又は、
クラウドサーバーに前記パーティー識別子情報及びユーザーＩＤを含む処理要求を送信し、前記クラウドサーバーが前記ユーザーＩＤに対応するクラウド写真アルバムから前記パーティー識別子情報に対応する前記共有待機中のパーティー写真グループを取得するようにし、顔識別技術を介して前記共有待機中のパーティー写真グループに含まれるそれぞれのパーティー写真に対して顔識別を行って得られる前記顔識別結果と、
前記クラウドサーバーが送信する前記顔識別結果と、を含む。
【０００８】
また、ユーザーのパーティー識別子を有するパーティー写真グループに対する共有命令である場合、まず、パーティー写真グループ中の各パーティー写真に対して顔識別を行って、その中に含まれる顔画像セットを識別し、さらに、識別された顔画像セット中の各顔画像と、アドレス帳中の各連絡先のプロフィール写真をマッチングすることによって、マッチングされる連絡先の連絡方式を取得する。これで取得した各マッチングされる連絡先の連絡方式に基づいて、パーティー写真グループをその各マッチングされる連絡先と自動的に共有する。当該技術的対策によれば、パーティー写真中の顔画像に対する自動識別を介して、顔画像と連絡先のプロフィール写真を自動マッチングさせることができ、パーティー写真の自動的且つ正確的な共有を実現でき、パーティー写真の共有処理効率を大幅に向上させる。
【０００９】
また、前記顔識別結果によって、前記共有待機中のパーティー写真グループに含まれる顔画像セットを確定した後、
前記顔識別結果によって、前記顔画像セット中の各顔画像が現れる回数を確定するステップと、
前記顔画像セットに前記現れる回数がプリセット回数よりも少ない顔画像が存在するかを確定するステップと、
前記現れる回数がプリセット回数よりも少ない顔画像が存在すると、前記顔画像セットから前記現れる回数がプリセット回数よりも少ない顔画像を削除するステップと、をさらに含む。
【００１０】
顔画像セットにおける各顔画像が現れる回数の判断を介して、関係ない顔画像を排除することができ、これによって、顔画像と連絡先のプロフィール写真のマッチング処理効率を向上させることができ、パーティー写真グループをその他のパーティー参加者と共有する正確性を確保することができる。
【００１１】
さらに、前記各目標連絡先のプロフィール写真に対応する連絡方式によって、前記共有待機中のパーティー写真グループを対応する目標連絡先にそれぞれ送信する前に、
ユーザーが入力した選択命令を受信するステップをさらに含み、前記選択命令は、ユーザーが前記各目標連絡先に対して選択した後、選択された各目標連絡先を含み、
前記各目標連絡先のプロフィール写真に対応する連絡方式によって、前記共有待機中のパーティー写真グループを対応する目標連絡先にそれぞれ送信するステップは、
選択された各目標連絡先に対応する連絡方式によって、前記共有待機中のパーティー写真グループを対応する目標連絡先にそれぞれ送信するステップを含む。
【００１２】
当該技術的対策によれば、ユーザーの目標連絡先に対する選択を実現でき、ユーザーの体験性を向上できる。
【００１３】
さらに、前記各目標連絡先のプロフィール写真に対応する連絡方式によって、前記共有待機中のパーティー写真グループを対応する目標連絡先にそれぞれ送信する前に、
前記顔識別結果によって、前記顔画像セット中の各顔画像に対応するパーティー写真サブセットを確定するステップと、
各顔画像にそれぞれマッチングされる目標連絡先のプロフィール写真によって、各連絡先のプロフィール写真にそれぞれ対応するパーティー写真サブセットを確定するステップと、をさらに含み、
前記各目標連絡先のプロフィール写真に対応する連絡方式によって、前記共有待機中のパーティー写真グループを対応する目標連絡先にそれぞれ送信するステップは、
各目標連絡先のプロフィール写真に対応する連絡方式によって、前記各目標連絡先のプロフィール写真にそれぞれ対応するパーティー写真サブセットを対応する目標連絡先に送信するステップを含む。
【００１４】
好ましくは、前記各目標連絡先のプロフィール写真に対応する連絡方式によって、前記各目標連絡先のプロフィール写真にそれぞれ対応するパーティー写真サブセットを対応する目標連絡先に送信するステップは、
各目標連絡先のプロフィール写真に対応する連絡方式における、プリセット通信方式に対応する第１の目標連絡方式を取得するステップと、
前記第１の目標連絡方式によって、前記各目標連絡先のプロフィール写真にそれぞれ対応するパーティー写真サブセットを対応する目標連絡先に送信するステップとを含む。
【００１５】
さらに、前記各目標連絡先のプロフィール写真に対応する連絡方式における、プリセット通信方式に対応する第１の目標連絡方式を取得した後、
前記第１の目標連絡方式を有しない特定の目標連絡先のプロフィール写真について、前記特定の目標連絡先のプロフィール写真に対応する連絡方式において第２の目標連絡方式を確定し、前記第２の目標連絡方式によって前記特定された目標連絡先のプロフィール写真に対応するパーティー写真サブセットを対応する特定の目標連絡先に送信するステップをさらに含む。
【００１６】
好ましくは、前記連絡方式は、少なくとも２つであり、
前記各目標連絡先のプロフィール写真に対応する連絡方式によって、前記各目標連絡先のプロフィール写真にそれぞれ対応するパーティー写真サブセットを対応する目標連絡先に送信するステップは、
プリセット連絡方式の優先順位に応じて、各目標連絡先のプロフィール写真に対応する少なくとも２つの連絡方式において、各目標連絡先のプロフィール写真に対応する最高優先順位連絡方式を確定するステップと、
各目標連絡先のプロフィール写真に対応する最高優先順位連絡方式によって、前記各目標連絡先のプロフィール写真にそれぞれ対応するパーティー写真サブセットを対応する目標連絡先に送信するステップと、を含む。
【００１７】
前記技術的対策によれば、顔画像セット中の各顔画像に対応するパーティー写真サブセットを確定することで、各目標連絡先に自分の顔画像を含むパーティー写真を差別化して送信することを実現でき、これによって、さらに目標性があるように、パーティー写真共有を実現でき、ユーザーの体験性をより一層向上させることができる。
【００１８】
本発明の第２の態様によれば、写真共有装置が提供され、前記装置は、
ユーザーの共有待機中のパーティー写真グループに対するパーティー写真共有命令を受信するように構成される第１の受信モジュールと、
前記共有待機中のパーティー写真グループに含まれるそれぞれのパーティー写真に対して顔識別を行った後に得られる顔識別結果を取得するように構成される第１の取得モジュールと、
前記顔識別結果によって、前記共有待機中のパーティー写真グループに含まれる顔画像セットを確定するように構成される第１の確定モジュールと、
アドレス帳に含まれる各連絡先のプロフィール写真において、前記顔画像セット中の各顔画像にそれぞれマッチングされる目標連絡先のプロフィール写真を確定するように構成される第２の確定モジュールと、
各目標連絡先のプロフィール写真に対応する連絡方式によって、前記共有待機中のパーティー写真グループを対応する目標連絡先にそれぞれ送信するように構成される送信モジュールと、を備え、
前記共有待機中のパーティー写真グループはパーティー識別子情報を含み、前記共有待機中のパーティー写真グループは、少なくとも１枚のパーティー写真を含む。
【００１９】
ここで、前記第１獲得モジュールは、
顔識別技術を介して前記共有待機中のパーティー写真グループに含まれるそれぞれのパーティー写真に対して顔識別を行って前記顔識別結果を得るように構成される識別サブモジュールを備え、
又は、前記第１の取得モジュールは、
クラウドサーバーに前記パーティー識別子情報及びユーザーＩＤを含む処理要求を送信し、前記クラウドサーバーが前記ユーザーＩＤに対応するクラウド写真アルバムから前記パーティー識別子情報に対応する前記共有待機中のパーティー写真グループを取得するようにし、顔識別技術を介して前記共有待機中のパーティー写真グループに含まれるそれぞれのパーティー写真に対して顔識別を行って前記顔識別結果を得るように構成される第６の送信サブモジュールと、
前記クラウドサーバーが送信する前記顔識別結果を受信するように構成される受信サブモジュールと、を備える。
【００２０】
また、ユーザーのパーティー識別子を有するパーティー写真グループに対する共有命令である場合、まず、パーティー写真グループ中の各パーティー写真に対して顔識別を行って、その中に含まれる顔画像セットを識別し、さらに、識別された顔画像セット中の各顔画像と、アドレス帳中の各連絡先のプロフィール写真をマッチングすることによって、マッチングされる連絡先の連絡方式を取得する。これで取得した各マッチングされる連絡先の連絡方式に基づいて、パーティー写真グループをその各マッチングされる連絡先と自動的に共有する。当該技術的対策によれば、パーティー写真中の顔画像に対する自動識別を介して、顔画像と連絡先のプロフィール写真を自動マッチングさせることができ、パーティー写真の自動的且つ正確的な共有を実現でき、パーティー写真の共有処理効率を大幅に向上させる。
【００２１】
さらに、前記装置は、
前記顔識別結果によって、前記顔画像セット中の各顔画像が現れる回数を確定するように構成される第３の確定モジュールと、
前記顔画像セットに前記現れる回数がプリセット回数よりも少ない顔画像が存在するかを確定するように構成される第４の確定モジュールと、
前記第４の確定モジュールで確定された前記顔画像セットに前記現れる回数がプリセット回数よりも少ない顔画像が存在すると、前記顔画像セットから前記現れる回数がプリセット回数よりも少ない顔画像を削除するように構成される削除モジュールと、をさらに備える。
【００２２】
顔画像セットにおける各顔画像が現れる回数の判断を介して、関係ない顔画像を排除することができ、これによって、顔画像と連絡先のプロフィール写真のマッチング処理効率を向上させることができ、パーティー写真グループをその他のパーティー参加者と共有する正確性を確保することができる。
【００２３】
さらに、前記装置は、
ユーザーが入力した選択命令を受信するように構成される第２の受信モジュールをさらに備え、前記選択命令は、ユーザーが前記各目標連絡先に対して選択した後、選択された各目標連絡先を含み、
前記送信モジュールは、
選択された各目標連絡先に対応する連絡方式によって、前記共有待機中のパーティー写真グループを対応する目標連絡先にそれぞれ送信するように構成される第１の送信サブモジュールを備える。
【００２４】
当該技術的対策によれば、ユーザーの目標連絡先に対する選択を実現でき、ユーザーの体験性を向上できる。
【００２５】
さらに、前記装置は、
前記顔識別結果によって、前記顔画像セット中の各顔画像に対応するパーティー写真サブセットを確定するように構成される第５の確定モジュールと、
各顔画像にそれぞれマッチングされる目標連絡先のプロフィール写真によって、各連絡先のプロフィール写真にそれぞれ対応するパーティー写真サブセットを確定するように構成される第６の確定モジュールと、をさらに備え、
前記送信モジュールは、
各目標連絡先のプロフィール写真に対応する連絡方式によって、前記各目標連絡先のプロフィール写真にそれぞれ対応するパーティー写真サブセットを対応する目標連絡先に送信するように構成される第２の送信サブモジュールを備える。
【００２６】
好ましくは、前記装置は、
各目標連絡先のプロフィール写真に対応する連絡方式における、プリセット通信方式に対応する第１の目標連絡方式を取得するように構成される第２の取得モジュールをさらに備え、
前記送信モジュールは、
前記第１の目標連絡方式によって、前記各目標連絡先のプロフィール写真にそれぞれ対応するパーティー写真サブセットを対応する目標連絡先に送信するように構成される第３の送信サブモジュールを備える。
【００２７】
さらに、前記装置は、
前記第１の目標連絡方式を有しない特定の目標連絡先のプロフィール写真について、前記特定の目標連絡先のプロフィール写真に対応する連絡方式において第２の目標連絡方式を確定するように構成される第７の確定モジュールをさらに備え、
前記送信モジュールは、
前記第２の目標連絡方式によって、前記特定された目標連絡先のプロフィール写真に対応するパーティー写真サブセットを、対応する特定の目標連絡先に送信するように構成される第４の送信サブモジュールを備える。
【００２８】
好ましくは、前記装置は、
プリセット連絡方式の優先順位に応じて、各目標連絡先のプロフィール写真に対応する少なくとも２つの連絡方式において、各目標連絡先のプロフィール写真に対応する最高優先順位連絡方式を確定するように構成される第８の確定モジュールを備え、
前記送信モジュールは、
各目標連絡先のプロフィール写真に対応する最高優先順位連絡方式を介して、前記各目標連絡先のプロフィール写真に対応するパーティー写真サブセットを、対応する目標連絡先にそれぞれ送信するように構成される第５の送信サブモジュールを備える。
【００２９】
前記技術的対策によれば、顔画像セット中の各顔画像に対応するパーティー写真サブセットを確定することで、各目標連絡先に自分の顔画像を含むパーティー写真を差別化して送信することを実現でき、これによって、さらに目標性があるように、パーティー写真共有を実現でき、ユーザーの体験性をより一層向上させることができる。
【００３０】
本発明の第３の態様によれば、写真共有装置が提供され、前記装置は、
プロセッサー、
前記プロセッサーによって実行可能な命令を記憶するメモリと、を備え、
前記プロセッサーは、
ユーザーの共有待機中のパーティー写真グループに対するパーティー写真共有命令を受信し、前記共有待機中のパーティー写真グループはパーティー識別子情報を含み、前記共有待機中のパーティー写真グループは少なくとも１枚のパーティー写真を含み、
前記共有待機中のパーティー写真グループに含まれるそれぞれのパーティー写真に対して顔識別を行った後に得られる顔識別結果を取得し、前記顔識別結果によって、前記共有待機中のパーティー写真グループに含まれる顔画像セットを確定し、
アドレス帳に含まれる各連絡先のプロフィール写真において、前記顔画像セット中の各顔画像にそれぞれマッチングされる目標連絡先のプロフィール写真を確定し、
各目標連絡先のプロフィール写真に対応する連絡方式によって、前記共有待機中のパーティー写真グループを対応する目標連絡先にそれぞれ送信するように構成される。
【００３１】
本発明の第４の態様によれば、
プロセッサーに実行されることにより、上記の写真共有方法を実現する、プログラムを提供する。
【００３２】
本発明の第５の態様によれば、
上記プログラムが記録されたコンピュータ読取可能な記録媒体を提供する。
【００３３】
なお、前記一般的な記載及び後述の詳細な記載は、単なる例示的で解釈的な記載であり、本発明を限定しない。
【図面の簡単な説明】
【００３４】
以下の図面は、明細書に組み入れて本明細書の一部分を構成し、本発明に該当する実施例を例示するとともに、明細書とともに本発明の原理を解釈する。
【図１】一例示的な実施例に係る写真共有方法の第１の実施例を示すフローチャートである。
【図２】一例示的な実施例に係る写真共有方法の第２実施例を示すフローチャートである。
【図３】一例示的な実施例に係る写真共有方法の第３の実施例を示すフローチャートである。
【図４】図３に示される実施例における端末の目標連絡先選択インターフェースを示す説明図である。
【図５】一例示的な実施例に係る写真共有方法の第４の実施例を示すフローチャートである。
【図６】図５に示される実施例におけるステップ４０３に係る具体的な実施形態を示すフローチャートである。
【図７】図５に示される実施例におけるステップ４０３に係る他の具体的な実施形態を示すフローチャートである。
【図８】一例示的な実施例に係る写真共有装置の第１の実施例を示すブロック図である。
【図９】一例示的な実施例に係る写真共有装置の第２の実施例を示すブロック図である。
【図１０】一例示的な実施例に係る写真共有装置の第３の実施例を示すブロック図である。
【図１１】一例示的な実施例に係る写真共有装置の第４の実施例を示すブロック図である。
【図１２】一例示的な実施例に係る写真共有装置の第５の実施例を示すブロック図である。
【図１３】一例示的な実施例に係る写真共有装置の第６実施例を示すブロック図である。
【図１４】一例示的な実施例に係る写真共有装置を示すブロック図である。
【図１５】一例示的な実施例に係る他の写真共有装置を示すブロック図である。
【００３５】
前記図面を介して、本発明の明確的な実施例を示したが、後でさらに詳細の説明を行う。以上の図面及び記述は、いずれの形態で本発明の思想範囲を限定するものではなく、特定の実施例を参照しながら当業者に本発明の概念を説明するためのものにすぎない。
【発明を実施するための形態】
【００３６】
以下、例示的な実施例を詳しく説明し、その例示を図面に示している。以下の記載において、図面に関わる場合は、特に言明する場合以外に、異なる図面における同じ数字が同じ又は類似する要素を示す。下記の例示的な実施例に記載の実施例は、本発明と一致する全ての実施例を代表するというわけではない。それらは、特許請求の範囲に記載の本発明のある方面に一致する装置及び方法の例に過ぎない。
【００３７】
まず、本発明の実施例に関連するいくつかの名詞に関して説明する。
【００３８】
顔識別技術：  顔の視覚特徴情報に対して分析・比較して身分を検証するコンピュータ技術である。具体的に言うと、人顔の特徴に基づいて、入力される顔画像に対して、まず、顔が存在するかを判断し、顔が存在する場合、それぞれの顔の位置、サイズ、及びそれぞれの主要顔器官の位置情報をさらに提供し、これらの情報に基づいて人々の顔に含まれる身分特徴を抽出し、この特徴を既に知っている顔と比較して人々の顔の身分を識別する。
【００３９】
図１は、一例示的な実施例に係る写真共有方法の第１の実施例を示すフローチャートである。前記方法は、スマートフォン、スマートカメラ、ポータブルＰＣ、タブレットＰＣなどの端末により実行することができ、その端末に本実施例に記載される共有待機中のパーティー写真グループが保存される。図１に示すように、前記写真共有方法は、以下のようなステップを含んでもよい。
【００４０】
ステップ１０１：ユーザーの共有待機中のパーティー写真グループに対するパーティー写真共有命令を受信する。前記共有待機中のパーティー写真グループはパーティー識別子情報を含み、前記共有待機中のパーティー写真グループは少なくとも１枚のパーティー写真を含む。
【００４１】
本実施例では、端末のユーザーがパーティーに参加したときパーティー写真を複数枚を撮ったとする。ユーザーが撮影したパーティー写真に対して表記又は命名するとき、パーティー識別子で表記してもよい。そのパーティー識別子は、例えば、時間、場所、パーティーシーンなどの情報が含まれる。ここで、時間情報は、ユーザーの端末の時計により自動的に確定されてもよい。場所はユーザーの端末のＧＰＳ位置情報により確定されてもよい。パーティーシーンは、例えば、どの公園や、どの遊び場などであってもよい。また、ユーザーが自分で命名して確定してもよい。
【００４２】
管理を便宜にするために、ユーザーは、通常、一回のパーティーで撮影した複数枚のパーティー写真を一緒にまとめて置き、端末のアルバムの１つのフォルダに保存する。そのフォルダは、前記パーティー写真を含むパーティー写真グループとして、前記パーティー識別子で命名される。
【００４３】
当該ユーザーが前記パーティーで撮影したパーティー写真、つまり、前記共有待機中のパーティー写真グループを、前記パーティーに参加した他の友人と共有しようとするとき、前記フォルダに対して一定の操作を行うことを介して共有処理をトリガすることができる。例えば、ユーザーは、そのフォルダを３次クリックして、パーティー写真共有命令を送信し、共有処理をトリガする。
【００４４】
ステップ１０２：前記共有待機中のパーティー写真グループに含まれるそれぞれのパーティー写真に対して顔識別を行った後に得られる顔識別結果を取得し、前記顔識別結果によって、前記共有待機中のパーティー写真グループに含まれる顔画像セットを確定する。
【００４５】
本実施例では、前記共有待機中のパーティー写真グループには、時折、複数枚のパーティー写真が含まれる。その共有待機中のパーティー写真グループに含まれるすべての顔画像を取得するために、顔識別技術を介して、それぞれのパーティー写真に対して顔識別処理を行って顔識別結果を取得する。
【００４６】
具体的には、まず、Ａｄａｂｏｏｓｔ方法を利用して、それぞれのパーティー写真に含まれる顔画像を検出し、また、それぞれの顔画像に対して特徴抽出を行う。顔識別結果、例えば、特徴の類似性に基づいて類似性が所定の限界値より大きな、それぞれの顔画像を一緒に分類する。なお、ここで「類似性が所定の閾値よりも大きな、それぞれの顔画像を一緒に分類する」ということは、これらの顔画像を、対応するパーティー写真で切り取りすることではなく、これらの顔画像を同一の人に対応させることを説明するだけである。従って、これらの顔画像に同一の分類識別子を設定することにより、これらの顔画像が１つの分類結果であることを表示する。このように、顔識別結果によって共有待機中のパーティー写真に含まれるすべての分類結果を取得することができ、それぞれの分類結果は、一人の複数枚の顔画像に対応される。後続処理の便宜性のために、それぞれの分類結果から１枚の顔画像を選択して、その分類結果の代表とすることができる。このようにして、それぞれの分類結果の代表顔画像で構成された前記共有待機中のパーティー写真グループに含まれる顔画像セットを取得することができる。
【００４７】
なお、前記顔識別過程の実現は、端末側で実現することができ、即ち、ユーザーの端末により前記処理を行って前記顔画像セットを取得することができ、また、クラウドサーバーを介して実現することもできる。
【００４８】
具体的には、以下のような方式を介して、クラウドサーバーによって前記顔識別結果を取得することを実現することができる。即ち、
端末がクラウドサーバーに前記パーティー識別子情報及びユーザーＩＤを含む処理要求を送信し、前記クラウドサーバーが前記ユーザーＩＤに対応するクラウド写真アルバムから前記パーティー識別子情報に対応する前記共有待機中のパーティー写真グループを取得するようにし、顔識別技術を介して前記共有待機中のパーティー写真グループに含まれるそれぞれのパーティー写真に対して顔識別を行い、前記顔識別結果を取得し、
端末は、前記クラウドサーバーが送信する前記顔識別結果を受信する。
【００４９】
即ち、本実施例では、端末のユーザーは、前記共有待機中のパーティー写真グループを撮影した後、そのパーティー写真グループをクラウドサーバー中のユーザーＩＤに対応するクラウド写真アルバムにアップロードして保存する。従って、クラウドサーバーは、前記パーティー識別子によって、そのユーザーのクラウド写真アルバムから前記共有待機中のパーティー写真グループを取得することができる。ここで、クラウドサーバーにおける共有待機中のパーティー写真グループに対する顔識別処理は、端末側での処理と同じであるため、ここで贅言しない。
【００５０】
１０３ステップ：アドレス帳に含まれる各連絡先のプロフィール写真において、前記顔画像セット中の各顔画像にそれぞれマッチングされる目標連絡先のプロフィール写真を確定する。
【００５１】
本実施例では、端末に保存されたアドレス帳に、各連絡先の連絡方式のほか、各連絡先のプロフィール写真、例えばスティッカーが関連して保存される。
【００５２】
前記顔画像セットを取得した後、前記顔を識別するための過程と同様に、顔画像セットに含まれる各顔画像と、アドレス帳に含まれる各連絡先のプロフィール写真を互いにマッチングさせて、顔画像セット中の各顔画像にそれぞれマッチングされる目標連絡先のプロフィール写真を確定する。
【００５３】
具体的には、各顔画像の特徴情報、及び各連絡先のプロフィール写真の特徴情報を抽出して、特徴の類似性に基づいて、各顔画像と各連絡先のプロフィール写真のマッチング対応関係を確定する。ここで、前記特徴の情報は、例えば眉、目、鼻、口、顔の形などの輪郭の特徴を含む。
【００５４】
ステップ１０４：各目標連絡先のプロフィール写真に対応する連絡方式によって、前記共有待機中のパーティー写真グループを対応する目標連絡先にそれぞれ送信する。
【００５５】
顔画像セットに含まれる顔画像に対応する目標連絡先をマッチングして取得した後、アドレス帳中の当該各目標連絡先の連絡方式によって前記共有待機中のパーティー写真グループを各目標連絡先に送信する。ここで、各連絡先の連絡方式は、例えば、ウィーチャット番号、ＱＱ番号、携帯電話番号、メールアドレスなどを含む。この中から一つの連絡方式を確定して、共有待機中のパーティー写真グループを各目標連絡先に送信する。具体的にどのような連絡方式を選択するかは、異なるメカニズムによって確定することができる。例えば、好みに応じて、前記複数の連絡方式に対して優先順位を設定し、優先順位のレベルが低くなる順に配列すると、ウィーチャット番号、ＱＱ番号、携帯電話番号、メールアドレスであってもよい。ウィーチャット番号が使用可能な場合、つまり、現在、その目標連絡先がウィーチャットにオンラインしている場合、その目標連絡先とのウィーチャットの会話を自動的に確立し、ここで、その共有待機中の写真グループをロードして、その目標連絡先に送信する。勿論、その目標連絡先がウィーチャットにオンラインしていない場合、そのウィーチャットの連絡方式を使用することができないことを説明する。従って、次のレベルの連絡方式であるＱＱを選択して送信することができる。携帯電話番号や、メールアドレスも同様に選択して送信することができる。
【００５６】
なお、本実施例では、各目標連絡先に送信したのは、前記共有待機中のパーティー写真グループ、つまり、その共有待機中のパーティー写真グループ中のすべてのパーティー写真である。従って、端末のユーザーが撮影した、前記共有待機中のパーティー写真グループをパーティーに参加した他の人と共有することができる。
【００５７】
本実施例では、端末のユーザーのパーティー識別子を有するパーティー写真グループに対する共有命令である場合、まず、パーティー写真グループ中の各パーティー写真に対して顔識別を行って、その中に含まれる顔画像セットを識別し、さらに、識別された顔画像セット中の各顔画像と、アドレス帳中の各連絡先のプロフィール写真をマッチングすることによって、マッチングされる連絡先の連絡方式を取得する。これで取得した各マッチングされる連絡方式に基づいて、パーティー写真グループをその各マッチングされる連絡先と自動的に共有する。当該技術的対策によれば、パーティー写真中の顔画像に対する自動識別を介して、顔画像と連絡先のプロフィール写真を自動マッチングさせることができ、パーティー写真の自動的且つ正確的な共有を実現でき、パーティー写真の共有処理効率を大幅に向上させる。
【００５８】
前記図１の実施例で述べているように、特徴の類似性を介して、それぞれのパーティー写真に含まれる顔画像に対して分類表記することができ、このように、同一分類表記の数を統計することで、同一の人を表徴する顔画像が現れる回数を取得し、前記顔画像セット中の各顔画像が現れる回数を取得する。顔画像セット中の各顔画像が現れる回数を統計する理由は、以下のような実際の状況を考慮してからである。即ち、
複数の友達が一緒にパーティーするとき、人々が複数枚のパーティー写真を撮る場合がある。しかし、ある一枚又はある複数枚のパーティー写真には、それぞれの友人を撮影したほか、関係ない例えば通行人である甲をも撮る場合がある。その通行人である甲は見知らぬ人であるので、アドレス帳には、その人のプロフィール写真や、連絡方式の情報があるはずがない。また、その通行人である甲の顔画像も前記顔画像セットに含まれる場合、アドレス帳中の各連絡先のプロフィール写真とマッチング処理をすると、無駄な仕事をするに間違いなく、マッチング処理の効率を低下させる。従って、通行人である甲の顔画像を前記顔画像セットから削除する必要がある。
【００５９】
従って、図２に示すように、図２は、一例示的な実施例に係る写真共有方法の第２実施例を示すフローチャートである。図１に示された実施例に加え、前記ステップ１０２の後、以下のようなステップをさらに含んでもよい。
【００６０】
ステップ２０１：前記顔識別結果によって、前記顔画像セット中の各顔画像が現れる回数を確定する。
【００６１】
ステップ２０２：前記顔画像セットに前記現れる回数がプリセット回数よりも少ない顔画像が存在するかを確定する。現れる回数がプリセット回数よりも少ない顔画像が存在する場合、ステップ２０３を実行し、そうでない場合、直接ステップ１０３を実行する。
【００６２】
ここで、前記プリセット回数は、例えば２回であってもよい。
【００６３】
ステップ２０３：前記顔画像セットにおいて、前記現れる回数がプリセット回数よりも少ない顔画像を削除して、削除した後の顔画像セットを取得する。
【００６４】
相応的に、ステップ２０３の後、前記１０３ステップは、適応的に以下のステップに変更される。
【００６５】
ステップ２０４：アドレス帳に含まれる各連絡先のプロフィール写真から、削除した後の顔画像セット中の各顔画像にそれぞれマッチングされる目標連絡先のプロフィール写真を確定する。
【００６６】
本実施例では、顔画像セットにおいて各顔画像が現れる回数の判断を介して、関係ない顔画像を排除することができる。従って、顔画像と連絡先のプロフィール写真のマッチング処理効率を向上させることができ、パーティー写真グループをパーティーに参加した他の人々と共有する正確性を確保することができる。
【００６７】
前記実施例では、各目標連絡先を確定した後、すぐ自動的に、共有待機中のパーティー写真グループを各目標連絡先に対応する連絡方式で、各目標連絡先に送信する。しかし、端末のユーザーは、ある原因でそのパーティー写真グループをある人又はある複数の人の目標連絡先に送信したくない場合がある。このために、図３に示すように、ユーザーが目標連絡先を選択する方式を提供する。
【００６８】
図３は、一例示的な実施例に係る写真共有方法の第３の実施例を示すフローチャートである。図３に示すように、図１又は図２に示された実施例に加え、前記ステップ１０４の前に、以下のようなステップをさらに含んでもよい。
【００６９】
ステップ３０１：ユーザーが入力した選択命令を受信する。前記選択命令は、ユーザーが前記各目標連絡先に対して選択した後、選択された各目標連絡先を含む。
【００７０】
相応的に、ステップ３０１の後、前記１０４ステップは、適応的に以下のステップに変更される。
【００７１】
ステップ３０２：選択された各目標連絡先に対応する連絡方式によって、前記共有待機中のパーティー写真グループを対応する目標連絡先にそれぞれ送信する。
【００７２】
前記顔画像セット中の各顔画像と、アドレス帳中の各連絡先のプロフィール写真をマッチングすることで、各目標連絡先を確定した後、各目標連絡先を図４に示された目標連絡先選択インターフェースに表示して、ユーザーが選択するようにする。図４において、目標連絡先が目標連絡先Ａ、目標連絡先Ｂ、目標連絡先Ｃを含むとすると、ユーザーは選択された目標連絡先を、例えば、図４での目標連絡先Ａと目標連絡先Ｂを選択して、端末に選択された各目標連絡先を携帯した選択命令を送信する。また、端末は、選択された各目標連絡先に対応する連絡方式によって、共有待機中のパーティー写真グループを対応する目標連絡先に送信する。
【００７３】
前述したように、各目標連絡先はいろいろな連絡方式を有することができる。それぞれの連絡方式は、異なる通信方式、例えばウィーチャット、ＱＱ、メッセージ、メールなどに対応する。従って、前記目標連絡先選択インターフェースに、様々な通信方式を表示して、ユーザーが選択できるようにすることができる。例えば、ユーザーがウィーチャットの通信方式を選択すると、端末は、選択された各目標連絡先の連絡方式で、各目標連絡先のウィーチャット番号によってそれぞれウィーチャットの会話を確立し、共有待機中のパーティー写真グループをウィーチャット方式を介して、各目標連絡先に送信する。勿論、ある目標連絡先がウィーチャットにオンラインしていない状況が存在する。このような状況での処理は、後続の実施例で説明することにする。本実施例では、主に目標連絡先選択インターフェースに様々な選択可能な連絡方式を表示して、ユーザーが選択できるようにすることについて説明する。
【００７４】
前記それぞれの実施例では、各目標連絡先を確定した後、共有待機中のパーティー写真グループを各目標連絡先に送信する。以下、図５に示された実施例と結合して、各目標連絡先に対応するパーティー写真、即ち、ある目標連絡先の顔画像を含むパーティー写真を、その目標連絡先に対応して送信する技術手段を紹介する。これによって、さらに目標性があるように、パーティー写真共有を実現することができる。
【００７５】
図５は、一例示的な実施例に係る写真共有方式の第４の実施例を示すフローチャートである。図５に示すように、前記実施例に加え、ステップ１０４の前に、以下のようなステップをさらに含んでもよい。
【００７６】
ステップ４０１：前記顔識別結果によって、前記顔画像セット中の各顔画像に対応するパーティー写真サブセットを確定する。
【００７７】
上述のように、同一の人を表徴する顔画像が現れる回数を確定するとき、分類表記に基づいて、同一分類表記を含むパーティー写真を選択し、それぞれの分類表記は一人の顔画像に対応されるので、顔画像セット中の各顔画像に対応するパーティー写真サブセットを取得することができる。
【００７８】
ステップ４０２：各顔画像にそれぞれマッチングされる目標連絡先のプロフィール写真によって、各連絡先のプロフィール写真にそれぞれ対応するパーティー写真サブセットを確定する。
【００７９】
各顔画像と各目標連絡先のプロフィール写真の対応関係に基づいて、それぞれのパーティー写真サブセットと各目標連絡先のプロフィール写真の対応関係を確定することができる。
【００８０】
従って、ステップ１０４は、適応的に以下のステップに変更される。
【００８１】
ステップ４０３：各目標連絡先のプロフィール写真に対応する連絡方式によって、前記各目標連絡先のプロフィール写真にそれぞれ対応するパーティー写真サブセットを対応する目標連絡先に送信する。
【００８２】
本実施例では、図６及び図７を結合して、それぞれのパーティー写真サブセットを対応する目標連絡先に送信する２つの方式を提供する。
【００８３】
図６は、図５に示された実施例におけるステップ４０３に係る具体的な実施形態を示すフローチャートである。図６に示すように、前記ステップ４０３は、以下のような方式を使用して実現されてもよい。
【００８４】
ステップ５０１：各目標連絡先のプロフィール写真に対応する連絡方式における、プリセット通信方式に対応する第１の目標連絡方式を取得する。
【００８５】
ステップ５０２：前記第１の目標連絡方式によって、前記各目標連絡先のプロフィール写真にそれぞれ対応するパーティー写真サブセットを対応する目標連絡先に送信する。
【００８６】
ステップ５０３：前記第１の目標連絡方式を有しない特定の目標連絡先のプロフィール写真について、前記特定の目標連絡先のプロフィール写真に対応する連絡方式において第２の目標連絡方式を確定し、前記第２の目標連絡方式によって前記特定された目標連絡先のプロフィール写真に対応するパーティー写真サブセットを対応する特定の目標連絡先に送信する。
【００８７】
当該実現方式で、アドレス帳に保存されたそれぞれの連絡先の連絡方式は、例えばウィーチャット番号、ＱＱ番号、携帯電話番号などいろいろある。このような場合、端末は黙認のプリセット通信方式を設定することができる。例えば、ウィーチャット方式に設定することを黙認して送信処理を行う。従って、端末は、各目標連絡先の連絡方式から対応するウィーチャット番号を取得し、各目標連絡先とのウィーチャット会話を確立し、ウィーチャット方式で、各目標連絡先に対応するパーティー写真サブセットを送信する。
【００８８】
しかし、実際の応用において、ある一人又はある複数の目標連絡先がウィーチャットにオンラインしていない状況がある。又は、端末のユーザーのウィーチャットでの友達ではない状況がある。従って、端末が取得した目標連絡先のウィーチャット番号は、オンラインしていないため使用不可能になり、又はウィーチャットでの友達ではないため、ウィーチャット番号を得ることができない。このとき、パーティー写真サブセットを成功に送信するために、端末は、目標連絡先の連絡方式の中で、他の連絡方式、例えば、携帯電話番号を選択して、メッセージ方式で送信することができる。このとき、当該他の連絡方式、即ち、前記第２の目標連絡方式は任意に選択することができ、また、複数の可能な連絡方式に対して、事前に優先順位を設定し、順序に応じて選定することもできる。
【００８９】
図７は、図５に示された実施例におけるステップ４０３に係る他の具体的な実施形態を示すフローチャートである。図７に示すように、前記ステップ４０３は、以下のような方式を使用して実現されてもよい。
【００９０】
ステップ６０１：プリセット連絡方式の優先順位に応じて、各目標連絡先のプロフィール写真に対応する少なくとも２つの連絡方式において、各目標連絡先のプロフィール写真に対応する最高優先順位連絡方式を確定する。
【００９１】
ステップ６０２：各目標連絡先のプロフィール写真に対応する最高優先順位連絡方式によって、前記各目標連絡先のプロフィール写真にそれぞれ対応するパーティー写真サブセットを対応する目標連絡先に送信する。
【００９２】
当該実現方式では、端末は、現在利用可能な複数の連絡方式に対して事前に優先順位を設定する。例えば、優先順位の高いものから低いものは、ウィーチャット番号、米聊（ＭｉＴａｌｋ）、ＱＱ番号、携帯電話番号、メールアドレスである。また、各目標連絡先に対応する連絡方式の種類は異なる場合もある。例えば、張三の連絡方式はウィーチャット番号及び携帯電話番号を有し、李四の連絡方式はＱＱ番号及び携帯電話番号を有する。従って、アドレス帳における各目標連絡先の実際に存在する連絡方式によって、差別化された送信処理を行うことができる。
【００９３】
具体的には、ある目標連絡先に対応する連絡方式がただ１つである場合、この唯一の連絡方式を介して、この目標連絡先に対応するパーティー写真サブセットをその人に送信するしかない。
【００９４】
また、各目標連絡先に対応する連絡方式が少なくとも２つある場合、前記優先順位に応じて、各目標連絡先に対応する最高優先順位連絡方式を確定し、各目標連絡先に対応する最高優先順位連絡方式でその目標連絡先に対応するパーティー写真サブセットを対応するターゲット連絡先に送信する。
【００９５】
本実施例では、顔画像セット中の各顔画像に対応するパーティー写真サブセットの確定を介して、各目標連絡先に差別化的にその目標連絡先の顔画像を含むパーティー写真を送信することができるので、ユーザーの体験性をさらに向上させることができる。
【００９６】
図８は、一例示的な実施例に係る写真共有装置の第１の実施例を示すブロック図である。図８に示すように、当該装置は、第１の受信モジュール１１、第１の取得モジュール１２、第１の確定モジュール１３、第２の確定モジュール１４、及び送信モジュール１５を備える。
【００９７】
第１の受信モジュール１１は、ユーザーの共有待機中のパーティー写真グループに対するパーティー写真共有命令を受信するように構成される。前記共有待機中のパーティー写真グループはパーティー識別子情報を含み、前記共有待機中のパーティー写真グループは少なくとも１枚のパーティー写真を含む。
【００９８】
第１の取得モジュール１２は、前記共有大気中のパーティー写真グループに含まれるそれぞれのパーティー写真に対して顔識別を行った後に得られる顔識別結果を取得するように構成される。
【００９９】
第１の確定モジュール１３は、前記顔識別結果によって、前記共有待機中のパーティー写真グループに含まれる顔画像セットを確定するように構成される。
【０１００】
第２の確定モジュール１４は、アドレス帳に含まれる各連絡先のプロフィール写真において、前記顔画像セット中の各顔画像にそれぞれマッチングされる目標連絡先のプロフィール写真を確定するように構成される。
【０１０１】
送信モジュール１５は、各目標連絡先のプロフィール写真に対応する連絡方式によって、前記共有待機中のパーティー写真グループを対応する目標連絡先にそれぞれ送信するように構成される。
【０１０２】
ここで、前記第１の取得モジュール１２は、識別サブモジュール１２１、又は第６の送信サブモジュール１２２及び受信サブモジュール１２３を備える。
【０１０３】
識別サブモジュール１２１は、顔識別技術を介して前記共有待機中のパーティー写真グループに含まれるそれぞれのパーティー写真に対して顔識別を行って前記顔識別結果を得るように構成される。
【０１０４】
又は、前記第１の取得モジュールは、
クラウドサーバーに前記パーティー識別子情報及びユーザーＩＤを含む処理要求を送信し、前記クラウドサーバーが前記ユーザーＩＤに対応するクラウド写真アルバムから前記パーティー識別子情報に対応する前記共有待機中のパーティー写真グループを取得するようにし、顔識別技術を介して前記共有待機中のパーティー写真グループに含まれるそれぞれのパーティー写真に対して顔識別を行って前記顔識別結果を得るように構成される第６の送信サブモジュール１２２と、
前記クラウドサーバーが送信した前記顔識別結果を受信するように構成される受信サブモジュール１２３と、を備える。
【０１０５】
本実施例の写真共有装置は、図１に示された方法の実施例に係る技術的案を実行するために用いられ、実現原理及び技術的効果が同じであるため、ここで贅言しない。
【０１０６】
図９は、一例示的な実施例に係る写真共有装置の第２の実施例を示すブロック図である。図９に示すように、図８に示された実施例に加え、当該写真共有装置は、第３の確定モジュール２１、第４の確定モジュール２２、及び削除モジュール２３をさらに備える。
【０１０７】
第３の確定モジュール２１は、前記顔識別結果によって、前記顔画像セット中の各顔画像が現れる回数を確定するように構成される。
【０１０８】
第４の確定モジュール２２は、前記顔画像セットに前記現れる回数がプリセット回数よりも少ない顔画像が存在するかを確定するように構成される。
【０１０９】
削除モジュール２３は、前記第４の確定モジュールで確定された前記顔画像セットに前記現れる回数がプリセット回数よりも少ない顔画像が存在すると、前記顔画像セットから前記現れる回数がプリセット回数よりも少ない顔画像を削除するように構成される。
【０１１０】
本実施例の写真共有装置は、図２に示された方法の実施例に係る技術的案を実行するために用いられ、実現原理及び技術的効果が同じであるため、ここで贅言しない。
【０１１１】
図１０は、一例示的な実施例に係る写真共有装置の第３の実施例を示すブロック図である。図１０に示すように、図８又は図９の実施例に加え、当該写真共有装置は、
ユーザーが入力した選択命令を受信するように構成される第２の受信モジュール３１をさらに含む。前記選択命令は、ユーザーが前記各目標連絡先に対して選択した後、選択された各目標連絡先を含む。
【０１１２】
前記送信モジュール１５は、第１の送信サブモジュール１５１を備える。
【０１１３】
第１の送信サブモジュール１５１は、選択された各目標連絡先に対応する連絡方式によって、前記共有待機中のパーティー写真グループを対応する目標連絡先にそれぞれ送信するように構成される。
【０１１４】
本実施例の写真共有装置は、図３に示された方法の実施例に係る技術的案を実行するために用いられ、実現原理及び技術的効果が同じであるため、ここで贅言しない。
【０１１５】
図１１は、一例示的な実施例に係る写真共有装置の第４の実施例を示すブロック図である。図１１に示すように、前記実施例に加え、当該写真共有装置は、第５の確定モジュール４１及び第６の確定モジュール４２をさらに備える。
【０１１６】
第５の確定モジュール４１は、前記顔識別結果によって、前記顔画像セット中の各顔画像に対応するパーティー写真サブセットを確定するように構成される。
【０１１７】
第６の確定モジュール４２は、各顔画像にそれぞれマッチングされる目標連絡先のプロフィール写真によって、各連絡先のプロフィール写真にそれぞれ対応するパーティー写真サブセットを確定するように構成される。
【０１１８】
前記送信モジュール１５は、
各目標連絡先のプロフィール写真に対応する連絡方式によって、前記各目標連絡先のプロフィール写真にそれぞれ対応するパーティー写真サブセットを対応する目標連絡先に送信するように構成される第２の送信サブモジュール１５２をさらに備える。
【０１１９】
図１２は、一例示的な実施例に係る写真共有装置の第５の実施例を示すブロック図である。図１２に示すように、図１２に示した実施例に加え、当該写真共有装置は、第２の取得モジュール５１をさらに備える。
【０１２０】
第２取得モジュール５１は、各目標連絡先のプロフィール写真に対応する連絡方式における、プリセット通信方式に対応する第１の目標連絡方式を取得するように構成される。
【０１２１】
前記送信モジュール１５は、第３の送信サブモジュール１５３を備える。
【０１２２】
第３の送信サブモジュール１５３は、前記第１の目標連絡方式によって、前記各目標連絡先のプロフィール写真にそれぞれ対応するパーティー写真サブセットを対応する目標連絡先に送信するように構成される。
【０１２３】
当該写真共有装置は、第７の確定モジュール５２をさらに備える。
【０１２４】
第７の確定モジュール５２は、前記第１の目標連絡方式を有しない特定の目標連絡先のプロフィール写真について、前記特定の目標連絡先のプロフィール写真に対応する連絡方式において第２の目標連絡方式を確定する構成されている。
【０１２５】
前記送信モジュール１５は、第４の送信サブモジュール１５４を備える。
【０１２６】
第４の送信サブモジュール１５４は、前記第２の目標連絡方式によって、前記特定された目標連絡先のプロフィール写真に対応するパーティー写真サブセットを、対応する特定の目標連絡先に送信するように構成される。
【０１２７】
図１３は、一例示的な実施例に係る写真共有装置の第６実施例を示すブロック図である。図１３に示すように、図１１に示された実施例に加え、その写真共有装置は、第８の確定モジュール６１を備える。
【０１２８】
第８の確定モジュール６１は、プリセット連絡方式の優先順位に応じて、各目標連絡先のプロフィール写真に対応する少なくとも２つの連絡方式において、各目標連絡先のプロフィール写真に対応する最高優先順位連絡方式を確定するように構成される。
【０１２９】
前記送信モジュールは、第５の送信サブモジュール１５５を備える。
【０１３０】
第５送信サブモジュール１５５は、各目標連絡先のプロフィール写真に対応する最高優先順位連絡方式を介して前記各目標連絡先のプロフィール写真に対応するパーティー写真サブセットを対応する目標連絡先にそれぞれ送信するように構成される。
【０１３１】
図１１乃至図１３に示された写真共有装置は、図５乃至図７に示された方法の実施例に係る技術的案を実行するために用いられ、実現原理及び技術的効果が同じであるため、ここで贅言しない。
【０１３２】
前記実施例の写真共有装置は、その中のそれぞれのモジュール、サブモジュールが操作を実行する具体的な方法に関して、前記方法の実施例において既に詳細に説明したので、ここで詳細な説明をしない。
【０１３３】
以上、写真共有装置の内部機能及び構造に関して説明し、図１４に示すように、実際において、当該写真共有装置は、
プロセッサーと、
前記プロセッサーによって実行可能な命令を記憶するメモリと、を備え、
ユーザーの共有待機中のパーティー写真グループに対するパーティー写真共有命令を受信し、前記共有待機中のパーティー写真グループはパーティー識別子情報を含み、前記共有待機中のパーティー写真グループは少なくとも１枚のパーティー写真を含み、
前記共有待機中のパーティー写真グループに含まれるそれぞれのパーティー写真に対して顔識別を行った後に得られる顔識別結果を取得し、前記顔識別結果によって、前記共有待機中のパーティー写真グループに含まれる顔画像セットを確定し、
アドレス帳に含まれる各連絡先のプロフィール写真において、前記顔画像セット中の各顔画像にそれぞれマッチングされる目標連絡先のプロフィール写真を確定し、
各目標連絡先のプロフィール写真に対応する連絡方式によって、前記共有待機中のパーティー写真グループを対応する目標連絡先にそれぞれ送信するように構成される。
【０１３４】
図１５は、一例示的な実施例に係る他の写真共有装置を示すブロック図である。例えば、当該写真共有装置８００は、スマート携帯電話、スマートカメラ、タブレットＰＣ、携帯型ＰＣなどの端末であってもよい。
【０１３５】
図１５を参照すると、写真共有装置８００は、処理ユニット８０２、メモリ８０４、電源ユニット８０６、マルチメディアユニット８０８、オーディオユニット８１０、入力/出力（Ｉ/Ｏ）インターフェース８１２、センサーユニット８１４、及び通信ユニット８１６からなる群から選ばれる少なくとも１つを有してもよい。
【０１３６】
処理ユニット８０２は、通常、写真共有装置８００の全体の操作、例えば、表示、電話呼び出し、データ通信、カメラ操作及び記録操作に関連する操作を制御する。処理ユニット８０２は、上述した方法におけるステップの一部又は全部を実現できるように、命令を実行する少なくとも１つのプロセッサー８２０を有してもよい。また、処理ユニット８０２は、他のユニットとのインタラクションの便宜を図るように、少なくとも１つのモジュールを有してもよい。例えば、処理ユニット８０２は、マルチメディアユニット８０８とのインタラクションの便宜を図るように、マルチメディアモジュールを有してもよい。
【０１３７】
メモリ８０４は、写真共有装置８００での操作をサポートするように、各種のデータを記憶するように配置される。これらのデータは、例えば、写真共有装置８００で何れのアプリケーション又は方法を操作するための命令、連絡先データ、電話帳データ、メッセージ、画像、ビデオ等を含む。メモリ８０４は、何れの種類の揮発性又は不揮発性メモリ、例えば、ＳＲＡＭ（ＳｔａｔｉｃＲａｎｄｏｍ Ａｃｃｅｓｓ Ｍｅｍｏｒｙ）、ＥＥＰＲＯＭ（ＥｌｅｃｔｒｉｃａｌｌｙＥｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ＰｒｏｇｒａｍｍａｂｌｅＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクにより、或いはそれらの組み合わせにより実現することができる。
【０１３８】
電源ユニット８０６は、写真共有装置８００の各種ユニットに電力を供給するためのものであり、電源管理システム、１つ又は複数の電源、及び写真共有装置８００のために電力を生成、管理及び分配することに関連する他のユニットを有してもよい。
【０１３９】
マルチメディアユニット８０８は、写真共有装置８００とユーザーとの間に出力インターフェースを提供するスクリーンを有してもよい。スクリーンは、例えば、液晶ディスプレイ（ＬＣＤ）やタッチパネル（ＴＰ）を有してもよい。スクリーンは、タッチパネルを有する場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット８０８は、フロントカメラ及び/又はバックカメラを有してもよい。写真共有装置８００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１４０】
オーディオユニット８１０は、オーディオ信号を出力及び/又は入力するように配置される。例えば、オーディオユニット８１０は、マイクロフォン（ＭＩＣ）を有してもよい。写真共有装置８００が、例えば、呼び出しモード、記録モード、又は音声認識モードのような操作モードにあるとき、マイクロフォンは、外部のオーディオ信号を受信するように配置される。受信したオーディオ信号は、メモリ８０４にさらに記憶されてもよいし、通信ユニット８１６を介して送信されてもよい。一実施例では、オーディオユニット８１０は、オーディオ信号を出力するためのスピーカをさらに有してもよい。
【０１４１】
Ｉ/Ｏインターフェース８１２は、処理ユニット８０２と外部のインターフェースモジュールとの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１４２】
センサーユニット８１４は、写真共有装置８００のために各方面の状態を評価する少なくとも１つのセンサーを有してもよい。例えば、センサーユニット８１４は、写真共有装置８００のオン/オフ状態や、ユニットの相対的な位置を検出することができる。例えば、前記ユニットは、写真共有装置８００のディスプレイ及びキーパッドである。センサーユニット８１４は、写真共有装置８００又は写真共有装置８００の１つのユニットの位置の変化、ユーザーによる写真共有装置８００への接触の有無、写真共有装置８００の方向又は加速/減速、写真共有装置８００の温度変化などを検出することができる。センサーユニット８１４は、何れの物理的な接触もない場合に付近の物体を検出するように配置される近接センサーを有してもよい。センサーユニット８１４は、イメージングアプリケーションに用いるための光センサー、例えば、ＣＭＯＳ又はＣＣＤ画像センサーを有してもよい。一実施例では、当該センサーユニット８１４は、加速度センサー、ジャイロスコープセンサー、磁気センサー、圧力センサー又は温度センサーをさらに有してもよい。
【０１４３】
通信ユニット８１６は、写真共有装置８００と他の設備の間との無線又は有線通信の便宜を図るように配置される。写真共有装置８００は、例えば、ＷｉＦｉ、２Ｇ又は３Ｇ、又はそれらの組み合わせの通信標準に基づく無線ネットワークにアクセスできる。１つの例示的な実施例では、通信ユニット８１６は、ブロードキャストチャンネルを介して外部のブロードキャスト管理システムからのブロードキャスト信号又はブロードキャストに関する情報を受信する。１つの例示的な実施例では、前記通信ユニット８１６は、近距離通信を促進するために近距離無線通信（ＮＦＣ）モジュールをさらに有してもよい。例えば、ＮＦＣモジュールは、無線周波数認識（ＲＦＩＤ：ＲａｄｉｏＦｒｅｑｕｅｎｃｙ ＩＤｅｎｔｉｆｉｃａｔｉｏｎ）技術、赤外線データ協会（ＩｒＤＡ：ＩｎｆｒａｒｅｄＤａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（ＢＴ：Ｂｌｕｅｔｏｏｔｈ）技術及び他の技術によって実現されてもよい。
【０１４４】
例示的な実施例では、写真共有装置８００は、上述した方法を実行するために、１つ又は複数の特定用途向け集積回路（ＡＳＩＣ：ＡｐｐｌｉｃａｔｉｏｎＳｐｅｃｉｆｉｃ Ｉｎｔｅｇｒａｔｅｄ Ｃｉｒｃｕｉｔ）、デジタル信号プロセッサー（ＤＳＰ：ＤｉｇｉｔａｌＳｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：ＰｒｏｇｒａｍｍａｂｌｅＬｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【０１４５】
例示的な実施例では、命令を有する非一時的コンピュータ読み取り可能な記録媒体、例えば、命令を有するメモリ８０４をさらに提供する。この命令は、写真共有装置８００のプロセッサー８２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピーディスク及び光データメモリ等であってもよい。
【０１４６】
非一時的コンピュータ読み取り可能な記録媒体は、前記記録媒体における命令が写真共有装置８００のプロセッサーにより実行されると、写真共有装置８００が前記インスタントメッセージ処理方法を実行するようにする。前記方法は、
ユーザーの共有待機中のパーティー写真グループに対するパーティー写真共有命令を受信するステップと、
前記共有待機中のパーティー写真グループに含まれるそれぞれのパーティー写真に対して顔識別を行った後に得られる顔識別結果を取得し、前記顔識別結果によって、前記共有待機中のパーティー写真グループに含まれる顔画像セットを確定するステップと、
アドレス帳に含まれる各連絡先のプロフィール写真において、前記顔画像セット中の各顔画像にそれぞれマッチングされる目標連絡先のプロフィール写真を確定するステップと、
各目標連絡先のプロフィール写真に対応する連絡方式によって、前記共有待機中のパーティー写真グループを対応する目標連絡先にそれぞれ送信するステップと、を含み、
前記共有待機中のパーティー写真グループはパーティー識別子情報を含み、前記共有待機中のパーティー写真グループは少なくとも１枚のパーティー写真を含む。
【０１４７】
当業者は、明細書を考慮してこの発明を実践した後、本発明の他の実施例を容易に想到し得る。本願は、本発明の任意変形、用途又は適応的な変化を含む。これらの変形、用途又は適当的な変化は、本発明の一般的な原理に従うものであり、本発明に開示されていない当分野の公知常識又は慣用の技術的手段を含む。明細書及び実施例は、例示的なものに過ぎない。本発明の本当の範囲及び精神は特許請求の範囲に基づく。
【０１４８】
なお、本発明は、上述の説明及び図面に示された精確な構造に限らず、その範囲から逸脱しない範囲で各種の補正及び変化を実施することができる。本発明の範囲は、特許請求の範囲のみに限定される。
【図１】
0006401865.tif 000002
【図２】
0006401865.tif 000003
【図３】
0006401865.tif 000004
【図４】
0006401865.tif 000005
【図５】
0006401865.tif 000006
【図６】
0006401865.tif 000007
【図７】
0006401865.tif 000008
【図８】
0006401865.tif 000009
【図９】
0006401865.tif 000010
【図１０】
0006401865.tif 000011
【図１１】
0006401865.tif 000012
【図１２】
0006401865.tif 000013
【図１３】
0006401865.tif 000014
【図１４】
0006401865.tif 000015
【図１５】
0006401865.tif 000016